(57)【要約】【課題】  水分および異物がコンテナの壁面よりコンテナの内部に侵入しない隔板を有するコンテナ型蓄電システムを提供する。【解決手段】  開口を有する中空本体と、前記中空本体と枢支連結された２つのドアを含むコンテナ、前記中空本体に配置された複数の機能アセンブリ、および前記機能アセンブリと前記開口の間に配置され、前記機能アセンブリに電気的に接続された接続ポートを有し、前記ドアが閉位置にあるとき、前記ドアは前記開口を遮蔽する隔板を含むコンテナ型蓄電システム。【選択図】  図２
2019009128.tif 000002
【特許請求の範囲】
【請求項１】
開口を有する中空本体と、前記中空本体と枢支連結された２つのドアとを含むコンテナと、
前記中空本体に配置された複数の機能アセンブリであって、それぞれ、第１のラックと、第２のラックと、ベースとを含む複数の機能アセンブリと、
前記機能アセンブリと前記開口との間に配置され、各前記機能アセンブリと電気的に接続された接続ポートを有する隔板と、
前記第１のラックと前記第２のラックとの間に形成された間隙と、
を有し、
前記第１のラック及び前記第２のラックは、前記ベースに着脱可能に配置され、前記ベースの両側に位置すること
を特徴とするコンテナ型蓄電システム。
【請求項２】
前記間隙は通路として形成され、前記隔板は入口を有し、前記通路は前記入口と整列する請求項１に記載のコンテナ型蓄電システム。
【請求項３】
前記第１のラックと前記第２のラックとを連結する連結部材を更に含む請求項１に記載のコンテナ型蓄電システム。
【請求項４】
各前記機能アセンブリと前記隔板を連結するバスバーを更に含む請求項１に記載のコンテナ型蓄電システム。
【請求項５】
前記バスバーは、前記第１のラックと前記第２のラックとを連結する連結部材に固定される請求項４に記載のコンテナ型蓄電システム。
【請求項６】
各前記機能アセンブリは、前記中空本体の内壁に接触する複数の固定機構を更に含む請求項１に記載のコンテナ型蓄電システム。
【請求項７】
各前記固定機構は、
第１のナットと、
第２のナットと、
ネジ山を有し、前記第１のナット、前記機能アセンブリのそれぞれの側壁、および前記第２のナットを通過し、前記機能アセンブリのそれぞれに固定され、前記側壁は、前記第１のナットと前記第２のナットの間に位置する桿体と、
前記桿体の一端に連結され、前記機能アセンブリのそれぞれが前記中空本体に固定されたとき、前記中空本体の内壁に接触する接触部材と、
を含む請求項６に記載のコンテナ型蓄電システム。
【請求項８】
前記接触部材と前記側壁との間の距離は、調節可能である請求項７に記載のコンテナ型蓄電システム。
【請求項９】
前記接触部材は、ディスク構造を有する請求項８に記載のコンテナ型蓄電システム。
【請求項１０】
前記隔板は、各前記機能アセンブリに電気的に接続された入力ユニットを更に含む請求項１に記載のコンテナ型蓄電システム。
【請求項１１】
前記隔板は、前記機能アセンブリに電気的に接続され、前記機能アセンブリのデータと状態を表示する表示ユニットを更に含む請求項１に記載のコンテナ型蓄電システム。
【請求項１２】
各前記機能アセンブリは、蓄電部材、電力変換器、ファイヤーボックス、スイッチボード、変圧器、またはシステムコントローラを含む請求項１に記載のコンテナ型蓄電システム。
【発明の詳細な説明】
【技術分野】
【０００１】
本出願は、２０１６年２月２４日に出願された台湾特許出願番号第１０５１０５３８１号についての優先権を主張するものであり、これらの全ては引用によって本願に援用される。
【０００２】
本発明は、コンテナ型蓄電システムに関し、特に、隔板を有するコンテナ型蓄電システムに関するものである。
【背景技術】
【０００３】
一般的に、コンテナ型蓄電システムは、コンテナ、複数の蓄電部材、および少なくとも1つのシステムコントローラを含み、蓄電部材およびシステムコントローラは、コンテナに配置される。また、通路も移動、入退出用にコンテナに設けられる。使用者は、上述の蓄電部材またはシステムコントローラを通路に沿って移動させ、操作、メンテナンス、または交換をすることができる。
【０００４】
しかしながら、蓄電部材、システムコントローラとコンテナへの通路の設置、および蓄電部材とシステムコントローラの配線の配置をするために、複数の開孔がコンテナに形成されなければならない。従って、コンテナの壁面は、開孔を形成するときに、破損する可能性があり、コンテナの耐水性が低下する可能性がある。外部の水分または異物が運送中にコンテナの内部に侵入し、蓄電部材およびシステムコントローラにダメージを与える可能性がある。
【発明の概要】
【発明が解決しようとする課題】
【０００５】
水分および異物がコンテナの壁面よりコンテナの内部に侵入しない隔板を有するコンテナ型蓄電システムを提供する。
【課題を解決するための手段】
【０００６】
従来の製品の問題点を解決するために、本発明の実施形態は、開口を有する中空本体と、前記中空本体と枢支連結された２つのドアとを含むコンテナと、前記中空本体に配置された複数の機能アセンブリであって、それぞれ、第１のラックと、第２のラックと、ベースとを含む複数の機能アセンブリと、前記機能アセンブリと前記開口との間に配置され、各前記機能アセンブリと電気的に接続された接続ポートを有する隔板と、前記第１のラックと前記第２のラックとの間に形成された間隙と、を有し、前記第１のラック及び前記第２のラックは、前記ベースに着脱可能に配置され、前記ベースの両側に位置することを特徴とするコンテナ型蓄電システムを提供する。
【０００７】
一部の実施形態では、前記間隙は通路として形成され、前記隔板は入口を有し、前記通路は前記入口と整列する。
【０００８】
一部の実施形態では、コンテナ型蓄電システムは、前記第１のラックと前記第２のラックとを連結する連結部材を更に含む。
【０００９】
一部の実施形態では、コンテナ型蓄電システムは、各前記機能アセンブリと前記隔板を連結するバスバーを更に含む。
【００１０】
一部の実施形態では、前記バスバーは、前記第１のラックと前記第２のラックとを連結する連結部材に固定される。
【００１１】
一部の実施形態では、各前記機能アセンブリは、前記中空本体の内壁に接触する複数の固定機構を更に含む。
【００１２】
一部の実施形態では、各前記固定機構は、第１のナットと、第２のナットと、ネジ山を有し、前記第１のナット、前記機能アセンブリのそれぞれの側壁、および前記第２のナットを通過し、前記機能アセンブリのそれぞれに固定され、前記側壁は、前記第１のナットと前記第２のナットの間に位置する桿体と、前記桿体の一端に連結され、前記機能アセンブリのそれぞれが前記中空本体に固定されたとき、前記中空本体の内壁に接触する接触部材と、を含む。
【００１３】
一部の実施形態では、前記接触部材と前記側壁との間の距離は、調節可能である。
【００１４】
一部の実施形態では、前記接触部材は、ディスク構造を有する。
【００１５】
一部の実施形態では、前記隔板は、各前記機能アセンブリに電気的に接続された入力ユニットを更に含む。
【００１６】
一部の実施形態では、前記隔板は、前記機能アセンブリに電気的に接続され、前記機能アセンブリのデータと状態を表示する表示ユニットを更に含む。
【００１７】
一部の実施形態では、各前記機能アセンブリは、蓄電部材、電力変換器、ファイヤーボックス、スイッチボード、変圧器、またはシステムコントローラを含む。
【図面の簡単な説明】
【００１８】
【図１】本発明の実施形態に係る、コンテナ型蓄電システムの概略図である。
【図２】本発明の実施形態に係る、コンテナ型蓄電システムの分解図である。
【図３】本発明の実施形態に係る、機能アセンブリ、隔板、およびバスバーの概略図である。
【図４】本発明の実施形態に係る、機能アセンブリの概略図である。
【図５】本発明の実施形態に係る、互いに連結された機能アセンブリの電子コネクタの概略図である。
【図６】本発明の実施形態に係る、固定機構の概略図である。
【図７】本発明の実施形態に係る、中空本体の内壁に接触した接触部材の概略図である。
【図８】本発明の実施形態に係る、隔板の概略図である。
【図９】本発明の実施形態に係る、電子装置に連結したコンテナ型蓄電システムの概略図である。
【発明を実施するための形態】
【００１９】
実施形態の製造および使用が以下に詳細に論じられる。しかしながら、本実施形態は、さまざまな具体的な状況において適応する形で具現化され得る。論じられる特定の実施形態は、パッケージ構造を製造および使用する特定の態様の単なる例示であり、本発明の範囲を限定するものではない。
【００２０】
以下の説明は、本発明を実施するベストモードが開示されている。この説明は、本発明の一般原理を例示する目的のためのもので本発明を限定するものではない。本発明の範囲は、添付の請求の範囲を参考にして決定される。
【００２１】
例外が特筆されない限り、ここで使われる全ての技術的及び科学的用語は、本発明が属する技術における通常の技能で一般的に理解されているものと同じ意味を持つ。さらに理解されることであろうが、一般に使用される辞書で定義されているような用語は、関連した技術分野の文脈におけるその意味と一致した意味を持つものとして解釈されるべきであり、本明細書で明確にそのように定義されない限り、理想化された又は過度に形式的な意味で解釈されない。
【００２２】
図１は、本発明の実施形態に係る、コンテナ型蓄電システムの概略図であり、図２は、コンテナ型蓄電システムの分解図であり、図３は、機能アセンブリ、隔板、およびバスバーの概略図である。図１〜図３に示されるように、コンテナ型蓄電システムは、主にコンテナ１００、複数の機能アセンブリ２００、隔板３００、およびバスバー４００を含む。コンテナ１００は、中空本体１１０および２つのドア１２０を含む。中空本体１１０は、中空直方体構造を有し、収容空間１１１がその中に形成される。収容空間１１１と連通した開口１１２は、中空本体１１０の端部に形成される。
【００２３】
機能アセンブリ２００、隔板３００、およびバスバー４００は、収容空間１１１内に配置され、隔板３００は、開口１１２と機能アセンブリの間に配置される。バスバー４００は、機能アセンブリ２００を隔板３００と連結させ、電力と信号をその間で伝送させることができるようにする。２つのドア１２０は、中空本体１１０と枢支連結され、ドア１２０が中空本体１１０に対応して回転できるようにする。ドア１２０が中空本体１１０に対して開位置にあるとき、使用者は、開口１１２を通して収容空間１１１に侵入し、機能アセンブリ２００と隔板３００の操作、交換、またはメンテナンスをすることができる。ドア１２０が中空本体１１０に対して閉位置にあるとき、ドア１２０は、開口１１２を遮蔽することができる。
【００２４】
留意すべきことは、この実施形態では、コンテナ１００は、２０フィートコンテナ換算単位 （Ｔｗｅｎｔｙ ｆｏｏｔ ｅｑｕｉｖａｌｅｎｔ Ｕｎｉｔ；  ＴＥＵ）または ４０フィートコンテナ換算単位（Ｆｏｒｔｙ−ｆｏｏｔ ｅｑｕｉｖａｌｅｎｔ Ｕｎｉｔ；  ＦＥＵ）などのコンテナ換算単位のコンテナである。中空本体１１０の壁面は、耐水性材料でできており、二次加工で形成された開孔を有さない。防水テープ（図示されていない）は、壁面間の接続部に更に配置される。従って、ドア１２０が閉位置にあるとき、コンテナ１００は、収容空間１１１に水分または異物が侵入するのを防ぐことができ、隔板３００または機能アセンブリ２００の破損を回避することができる。
【００２５】
図４に示すように、この実施形態では、各機能アセンブリ２００は、第１のラック２１０、第２のラック２２０、ベース２３０、少なくとも１つの連結部材２４０、および少なくとも１つの固定機構２５０を含む。第１のラック２１０および第２のラック２２０は、ベース２３０に着脱可能に配置され、ベース２３０の両側に位置する。従って、間隙２６０が第１のラック２１０と第２のラック２２０の間に形成されることができる。
【００２６】
図２に示されるように、この実施形態では、機能アセンブリ２００の外観は、実質的に同じであり、機能アセンブリ２００は、機能アセンブリ２００が中空本体１１０の収容空間１１１に配置されたとき、互いに平行、且つ整列して配置される。従って、機能アセンブリ２００の間隙２６０は、互いに実質的に整列して通路Ｐを形成する。使用者がコンテナ１００の収容空間１１１に入った後、通路Ｐを通過し、メンテナンスまたは変換が必要な機能アセンブリ２００に移動することができる。
【００２７】
図４に示すように、連結部材２４０は、第１のラック２１０と第２のラック２２０を連結し、第１のラック２１０と第２のラック２２０が間隙２６０に傾斜するのを防ぐ。また、バスバー４００は、連結部材２４０に固定される。その他の実施形態では、バスバー４００は、中空本体１１０の内壁に直接取り付けることができる。
【００２８】
この実施形態では、機能アセンブリ２００は、蓄電部材、電力変換器、ファイヤーボックス、スイッチボード、変圧器、またはシステムコントローラを含むことができる。複数の電子素子（図示されていない）は、機能アセンブリ２００の異なるタイプに対応して第１のラック２１０と第２のラック２２０に配置される。例えば、機能アセンブリ２００が蓄電部材であるとき、電子素子は、第１のラック２１０と第２のラック２２０に配置されたバッテリまたは発電機である。機能アセンブリ２００がファイヤーボックスであるとき、電子素子は、第１のラック２１０と第２のラック２２０に配置された煙感知器または消火ユニットである。
【００２９】
図５に示すように、各機能アセンブリ２００の第１のラック２１０と第２のラック２２０は、各々電子コネクタＣを有する。電子コネクタＣは、機能アセンブリ２００の電子素子に電気的に接続され、導線Ｗによって隣接する電子コネクタＣに連結される。従って、電力と信号は、機能アセンブリ２００の間で迅速に伝送することができる。
【００３０】
図４、図６、および図７に示されるように、機能アセンブリ２００の固定機構２５０は、第１のナット２５１、第２のナット２５２、桿体（ｐｏｌｅ）２５３、および接触部材２５４を含み、桿体２５３はネジ山（ｓｃｒｅｗ  ｔｈｒｅａｄ）が形成される。桿体２５３は、第１のナット２５１、機能アセンブリ２００の側壁２０１、および第２のナット２５２を通過することができ、第１のナット２５１と第２のナット２５２によって、機能アセンブリ２００に固定される。側壁２０１は、第１のナット２５１と第２のナット２５２の間に位置する。接触部材２５４は、ディスク構造を有し、桿体２５３の一端に連結する。
【００３１】
機能アセンブリ２００が中空本体１１０の収容空間１１１に配置されると、固定機構２５０の接触部材２５４は、中空本体１１０の内壁に接触する（図７）。この実施形態では、固定機構２５０は、機能アセンブリ２００の左側、右側、および上部に形成される。従って、機能アセンブリ２００を、コンテナ１００の任意の壁面を破損することなく、摩擦力を用いて収容空間１１０に固定させることができる。
【００３２】
特に、接触部材２５４は、ディスク構造を有するため、接触部材２５４と中空本体１１０間の接触面積は、増加できる。機能アセンブリ２００は、中空本体１１０にしっかりと固定することができる。また、一般のコンテナ１００は、コルゲート構造の壁面を有する。この実施形態では、接触部材２５４と機能アセンブリ２００の側壁２０１の間の距離は、調節可能である。従って、機能アセンブリ２００が中空本体１１０のどこに位置しても、接触部材２５４は、中空本体１１０の内壁に接触することができる。
【００３３】
いくつかの実施形態では、固定機構２５０は、機能アセンブリ２００の左側と右側にのみ配置される（上部の固定機構２５０は、省略することができる）。いくつかの実施形態では、固定機構２５０は、機能アセンブリ２００の上部にだけ配置される（左側と右側の固定機構２５０は、省略することができる）。いくつかの実施形態では、固定機構２５０は、機能アセンブリ２００の左側または右側にのみ配置され（もう一方と上部の固定機構２５０は、省略することができる）、機能アセンブリ２００のもう一方は、中空本体１１０の内壁に取り付けることができる。
【００３４】
図８に示されるように、機能アセンブリ２００と電気的に接続された隔板３００は、壁体３１０とハッチ３２０を含み、入口３１５が壁体３１０に形成され、機能アセンブリ２００で形成された通路Ｐに対応する。ハッチ３２０は、壁体３１０と枢支連結され、入口３１５を密閉する。
【００３５】
留意すべきことは、この実施形態では、中空本体１１０の断面の寸法は、隔板３００の寸法と実質的に同じである。隔板３００は、耐水性材料を含み、防水テープ（図示されていない）は、中空本体１００の内壁と隔板３００の間に充填される。従って、ドア１２０が開位置にあるときでも、本発明のコンテナ型蓄電システムは、その中の機能アセンブリ２００を水分または異物の侵入から防ぐことができる。
【００３６】
また、この実施形態では、隔板３００は、機能アセンブリ２００に実質的に平行に配置される。ドア１２０が中空本体１１０に対して閉位置にあるとき、隔板３００と、ドア１２０は実質的に平行である。
【００３７】
この実施形態では、壁体３１０は、少なくとも１つの接続ポート３１１、少なくとも１つの入力ユニット３１２、表示ユニット３１３、およびロックユニット３１４を有する。接続ポート３１１は、外部の電子装置Ｅと連結して用いられ、電力を電子装置Ｅに提供する（図９に示す）。入力ユニット３１２は、制御信号を入力するために用いられ、ユーザーが通路Ｐに入ることなく、機能アセンブリ２００のパラメータを変換することができる。表示ユニット３１３は、機能アセンブリ２００のデータと状態を表示する。ロックユニット３１４は、ハッチ３２０の開閉を制御する。一部の実施形態では、表示ユニット３１３は、タッチスクリーンなど、入力ユニット３１２の機能を担うことができる。
【００３８】
要約すると、コンテナ型蓄電システムが提供される。隔壁は、機能アセンブリに電気的に接続され、開口および機能アセンブリの間に配置され、コンテナ型蓄電システムがコンテナの壁面を破壊することなく機能アセンブリによって電力を提供することができる。従って、コンテナのドアが閉位置にあるとき、水分および異物は、コンテナの壁面よりコンテナの内部に侵入することができない。
【００３９】
本開示及びそれらの利点の一部の実施形態が詳細に説明されてきたが、添付の請求の範囲によって定義されるように、本開示の精神および範囲を逸脱せずに、本明細書において種々の変更、代替、および改変をすることができることを理解すべきである。例えば、本明細書で述べられる特徴、機能、プロセス、および材料の多くが本開示の範囲を逸脱することなく変更できることが当業者にとっては容易に理解されるだろう。また、本出願の範囲は、本明細書中に述べられたプロセス、機械、製造、物質の組成、手段、方法、及びステップの特定の実施形態に限定されることを意図するものではない。当業者が本開示の開示から容易に理解するように、本明細書で述べられた対応する実施形態と、実質的に同様の機能を実行するか、または実質的に同様の結果を達成する、現存の、または後に開発される、開示、プロセス、機械、製造、物質の組成、手段、方法、またはステップが本開示に従って利用され得る。よって、添付の特許請求の範囲は、上述のプロセス、機械、製造、物質の組成、手段、方法、またはステップを含むように意図される。また、添付の特許請求の範囲は、全てのそのような変更および同様の配置を包含するように、最も広義な解釈が与えられるべきである。
【００４０】
本発明は、実施例の方法および望ましい実施の形態によって記述されているが、本発明は開示された実施形態に限定されるものではない。逆に、当業者には自明の種々の変更及び類似の構成をカバーするものである。よって、添付の請求の範囲は、最も広義な解釈が与えられ、全てのこのような変更及び類似の構成を含むべきである。
【符号の説明】
【００４１】
１００  コンテナ
１１０  中空本体
１１１  収容空間
１１２  開口
１２０  ドア
２００  機能アセンブリ
２０１  側壁
２１０  第１のラック
２２０  第２のラック
２３０  ベース
２４０  連結部材
２５０  固定機構
２５１  第１のナット
２５２  第２のナット
２５３  桿体
２５４  接触部材
２６０  間隙
３００  隔板
３１０  壁体
３１１  接続ポート
３１２  入力ユニット
３１３  表示ユニット
３１４  ロックユニット
３１５  入口
３２０  ハッチ
４００  バスバー
Ｃ  電子コネクタ
Ｅ  電子装置
Ｐ  通路
Ｗ  導線
【図１】
2019009128.tif 000003
【図２】
2019009128.tif 000004
【図３】
2019009128.tif 000005
【図４】
2019009128.tif 000006
【図５】
2019009128.tif 000007
【図６】
2019009128.tif 000008
【図７】
2019009128.tif 000009
【図８】
2019009128.tif 000010
【図９】
2019009128.tif 000011